(57)【特許請求の範囲】
【請求項１】
パネル軸を前方に配置し支持軸を後方に配置したベース部と、
下端部を前記パネル軸に回動自在に軸支した操作パネル部と、
上端側部に摺動体を突設し下端部を前記支持軸に回動自在に軸支された支持部とを有し、前記操作パネル部のチルト角度を変更可能にした通信端末装置であって、
前記操作パネル部の下面には、略垂直に固設された１または複数の板状のガイドプレートと、前記支持部の上端部に係合する複数の支持部係止部とを設け、
前記ガイドプレートのうち前記支持部と対向する１の側面に、前記摺動体が嵌入して摺動する下側ガイド溝と上側ガイド溝とをそれぞれ前記ガイドプレートの前後方向に延設し、前記下側ガイド溝と前記上側ガイド溝との前端部と後端部とを互いに接続し、
前記上側ガイド溝は前記支持部係止部に対応して上方に向かって湾曲した複数の摺動体係止部を設け、
前記後端部には弾性変形可能に突設された連結突起部を設け、前記前端部には弾性変形可能に溝幅を狭く形成して前記摺動体を挟持する挟持部を前記下側ガイド溝に設け、
前記摺動体を前記ガイドプレートの外面から前記下側ガイド溝に導入する摺動体挿入口を前記ガイドプレートに設け、前記摺動体挿入口に挿入された前記摺動体が前記挟持部若しくは前記挟持部の近傍に接触するように、前記摺動体挿入口を前記ガイドプレートの外面であって前記挟持部若しくは前記挟持部の近傍に開口させたことを特徴とする通信端末装置。
【請求項２】
前記摺動体が前記摺動体挿入口の側面に接触した時の接線が垂直方向となす角度は、前記摺動体が前記ガイドプレートの外面と接した時の接線が垂直方向となす角度よりも小さい角度になるように、前記摺動体挿入口を構成したことを特徴とする請求項１記載の通信端末装置。
【発明の詳細な説明】
【０００１】
【発明の属する技術分野】
本発明は、搭載される操作パネル部を１または複数の所定の傾斜角で保持し、さらに可変とする電話装置、ファクシミリ装置等の通信端末装置に関する。
【０００２】
【従来の技術】
近年、卓上、机上又は台上等で使用され、画像や文字等を表示するための表示部や、事業所内のネットワーク網を通して内線により呼び出し応答を行うための複数のボタンやカーソルキー、ペン等を画面に直接接触させることにより装置へ入力を行うタッチパネル等を備えた電話装置等の通信端末装置として、表示部、ボタン、カーソルキー等が設けられた操作パネル部の角度を可変できるようなチルト機構を一体的に備えたものや、角度の調節が可能なスタンド等により支持されたものが用いられている。
【０００３】
このような通信端末装置としての電話装置は、本体の上面に設けられるボタン又はカーソルキー等の操作を卓上、机上又は台上に載置した場合であっても容易に行うために、載置された面に対して０°〜３０°程度の角度を有するものが使用されている。また、前記角度を任意に又は複数段階に調節可能である機構を有するものも使用されている。
【０００４】
また、電話装置本体の背部又は側部にリリースボタンを設け、電話装置本体の上方に回動自在に配設された操作パネル部を上方に回動させることによって、その操作パネル部の電話装置に対する角度を順次変更し、任意の角度で固定することができ、角度が最大角度となった際には、リリースボタンを押すことで操作パネルの固定を解除して最大角度から最小角度へ変更することができるチルト機構を備えた電話装置が使用されている。
【０００５】
また、従来の技術としては、米国特許第５１２１４２７号明細書（以下、「イ号公報」と呼ぶ）に「第１補助部、第２補助部が互いに一体的に組み立てられ、その集合がベース部上で上昇し、補助面上において第一角度を与えてベース部を補助する、或いは補助部の内１個のみがベース部上で上昇し補助面上において第２角度を与える電話ベース部と補助部」が開示されている。
【０００６】
また、従来の電話ベースとしては、米国特許第５１８７７４３号明細書（以下、「ロ号公報」と呼ぶ）に「簡単な方法でどんな要求された角度にもディスプレイを傾けることができる、電話ベースに回動自在に配設されたハウジングを有するディスプレイ・ユニットを備えた電話ベースであって、前記ハウジングが回動軸を中心とした一定の半径上に形成された凸状の外表面を有し、多数の平行溝がその表面に形成され、軸状に広がり、電話ベースに一端が固定され配設された板バネとその他端において噛合い、任意の位置で固定されることを特徴とするディスプレイ・ユニットを備えた電話ベース」が開示されている。
【０００７】
また、従来のチルト機構としては、米国特許第６０１９３３８号明細書（以下、「ハ号公報」と呼ぶ）に「端末の角度を調節することができる前記端末とチルトスタンドとの組み合わせにより構成された端末用チルトスタンドであって、前記チルトスタンドが、前端部と後端部を有するベース部と、前記ベース部の上方に配設されたチルトユニットと、前記チルトユニットに沿って配設された摩擦手段とを備え、前記端末が、上側表面、下側表面、前端部、後端部を備え、ハウジング及びベース部の前端部の近傍にベース部に対して回動自在に配設された本体と、前記チルトユニットの上方の一部を支える下側表面に形成される切込みと、多くの旋回位置で前記ハウジングを保つために前記摩擦手段に噛合うロック手段と、前記ロック手段により多くの旋回位置の１つで要求する位置に前記本体を保ち、選択的にロック手段を操作するための手動操作可能な始動手段と、を備えた端末用チルトスタンド」が開示されている。
【０００８】
【発明が解決しようとする課題】
しかしながら、上記従来の技術は、次のような問題点を有していた。
【０００９】
（１）従来の通信端末装置としての電話装置は、同様のチルト機構を備えたオプション・ユニット等の機器を側方に並べて連結して使用しようとする場合に、角度を最大角度から最小角度へ変更するためにすべての機器のリリースボタンを同時に押すことは難しく、連結して使用することができない。
【００１０】
（２）イ号公報に記載の技術は、第１補助部及び第２補助部が螺子により螺着されることにより固定されるので、チルト角度を変更する際に容易にチルト角度を変更することができない。
【００１１】
（３）ロ号公報に記載の技術は、ディスプレイ・ユニットの固定が、板バネの弾性力によるため、固定した際に安定性に欠ける。
【００１２】
（４）ハ号公報に記載の技術は、ＤＳＳコンソール等のオプション・ユニットを側面に連結して使用する場合、その角度を変更するときは連結された全ての機器のハンドル等の始動手段を同時に押さなければならないため、オプション・ユニットを連結することが難しい。
【００１３】
この通信端末装置では、操作パネル部のチルト角度を変更する際に、容易にチルト角度を変更することができ、所定の角度で安定して保持することができ、また、オプション・ユニットを連結した際であっても連結を外すことなくチルト角度を変更することができるチルト機構を有することが要求されている。
【００１４】
本発明は、これらの要求を満たすため、操作パネル部のチルト角度を変更する際に、容易にチルト角度を変更することができ、所定の角度で安定して保持することができ、また、オプション・ユニットを連結した際であっても連結を外すことなくチルト角度を変更することができるチルト機構を有する通信端末装置を提供することを目的とする。
【００１５】
【課題を解決するための手段】
上記課題を解決するために本発明は、パネル軸を前方に配置し支持軸を後方に配置したベース部と、下端部をパネル軸に回動自在に軸支した操作パネル部と、上端側部に摺動体を突設し下端部を支持軸に回動自在に軸支された支持部とを有し、操作パネル部のチルト角度を変更可能にした通信端末装置であって、操作パネル部の下面には、略垂直に固設された１または複数の板状のガイドプレートと、支持部の上端部に係合する複数の支持部係止部とを設け、ガイドプレートのうち支持部と対向する１の側面に、摺動体が嵌入して摺動する下側ガイド溝と上側ガイド溝とをそれぞれガイドプレートの前後方向に延設し、下側ガイド溝と上側ガイド溝との前端部と後端部とを互いに接続し、上側ガイド溝は支持部係止部に対応して上方に向かって湾曲した複数の摺動体係止部を設け、後端部には弾性変形可能に突設された連結突起部を設け、前端部には弾性変形可能に溝幅を狭く形成して摺動体を挟持する挟持部を下側ガイド溝に設け、摺動体をガイドプレートの外面から下側ガイド溝に導入する摺動体挿入口をガイドプレートに設け、摺動体挿入口に挿入された摺動体が挟持部若しくは挟持部の近傍に接触するように、摺動体挿入口をガイドプレートの外面であって挟持部若しくは挟持部の近傍に開口させたことを特徴とする通信端末装置、としたものである。
【００１６】
これにより、操作パネル部のチルト角度を変更する際に、容易にチルト角度を変更することができ、所定の角度で安定して保持することができ、また、オプション・ユニットを連結した際であっても連結を外すことなくチルト角度を変更することができる通信端末装置が得られる。
【００１７】
【発明の実施の形態】
本発明の通信端末装置における第１の発明は、ベース部と、操作パネル部と、回動自在に軸支された支持部とを有し、操作パネル部の下面には、略垂直に固設された１または複数の板状のガイドプレートと、支持部の上端部に係合する複数の支持部係止部とを設け、ガイドプレートのうち支持部と対向する１の側面に、摺動体が嵌入して摺動する下側ガイド溝と上側ガイド溝とをそれぞれガイドプレートの前後方向に延設し、下側ガイド溝と上側ガイド溝との前端部と後端部とを互いに接続し、上側ガイド溝は支持部係止部に対応して上方に向かって湾曲した複数の摺動体係止部を設け、後端部には弾性変形可能に突設された連結突起部を設け、前端部には弾性変形可能に溝幅を狭く形成して摺動体を挟持する挟持部を下側ガイド溝に設け、摺動体をガイドプレートの外面から下側ガイド溝に導入する摺動体挿入口をガイドプレートに設け、摺動体挿入口に挿入された摺動体が挟持部若しくは挟持部の近傍に接触するように、摺動体挿入口をガイドプレートの外面であって挟持部若しくは挟持部の近傍に開口させたことを特徴としたものである。
【００１８】
この構成により、このチルト機構を備えた１または複数のオプション・ユニットを側方に並べて、それぞれのベース部、操作パネル部同士を連結して使用する場合、１つの操作パネル部を回動させればすべての操作パネル部が連動し回動するので、片手で容易にすべての機器のベース部に対する操作パネル部のチルト角度を同時に変えることができるという作用を有する。ここで、パネル軸とガイドプレートの間に所定の距離を設けて配設することにより、操作パネル部の上方側に配設されたボタン等を操作のため押す時に、その押圧により転倒することを防ぐことができ、安定した操作が可能であるという作用を有する。
【００１９】
本発明の通信端末装置における第２の発明は第１の通信端末装置についてさらに、ガイドプレートは、下側ガイド溝の前端部の内側の溝側面をなし、対向する下側ガイド溝の外側の溝側面とともに摺動体を挟持する挟持部を備えることとしたものである。
【００２０】
この構成により、下側ガイド溝の前端部の溝幅を前端部の近傍において摺動体の径より狭く形成した場合であっても、下側ガイド溝の前端部の内側の溝側面をなす狭持部が内側に向かって弾性的に変形するように配設することができるので、操作パネル部を回動させ、ベース部に対する操作パネル部のチルト角度を最大角度から最小角度へ変化させるチルト動作を行う際、摺動体が下側ガイド溝の前端部において狭持部と外側の溝側面により確実に挟持され、下側ガイド溝の後端部から前端部へ滑らかに摺動することができるという作用を有する。また、狭持部により摺動体が下側ガイド溝の前端部から上側ガイド溝へ摺動することができるが、上側ガイド溝から下側ガイド溝の前端部に摺動して戻ることがないので、摺動体が最初の摺動体係止部に達し、更に次の摺動体係止部に向かう際に下側ガイド溝に戻ることがなく、安定した動作が可能であるという作用を有する。
【００２１】
本発明の通信端末装置における第３の発明は第１の通信端末装置についてさらに、ガイドプレートは、上側ガイド溝の後端部と下側ガイド溝の後端部との連結部の溝底面に連結突起部が形成されていることとしたものである。
【００２２】
この構成により、上側ガイド溝と下側ガイド溝の後端部との連結部の溝底面に連結突起部が形成されたので、摺動体が上側ガイド溝から下側ガイド溝へ移動した際に上側ガイド溝へ戻ることを防止できるという作用を有する。
【００２３】
本発明の通信端末装置における第４の発明は第１の通信端末装置についてさらに、ガイドプレートは、ガイドプレートに沿設して操作パネル部の下面に溝状に形成され、溝底面に支持部の上端部が嵌入して係止される１または複数の係止凹部からなる支持部係止部を備えることとしたものである。
【００２４】
この構成により、支持部係止部の溝底面に形成された係止凹部により、所定のチルト角の位置で支持部が支持部係止部に係止され、操作パネル部を所定の角度で安定して固定することができるという作用を有する。
【００２５】
本発明の通信端末装置における第５の発明は第１の通信端末装置についてさらに、支持部係止部は、支持部係止部の溝底面に突設され、係止凹部の間に配設された切替突起部を備えることとしたものである。
【００２６】
この構成により、支持部係止部の溝底面に形成された切替突起部により、摺動体が上側ガイド溝を摺動する際、支持部の先端部が切替突起部に当接し、陥没させながら移動し、その際の抵抗を手等による触感により感知することで移動感のあるチルト動作を行うことができるという作用を有する。
【００２７】
本発明の通信端末装置における第６の発明は第１の通信端末装置についてさらに、ガイドプレートは、ガイドプレートの外面に形成され、摺動体をガイドプレート内のガイド溝に導き入れるために開口した摺動体挿入口を備えることとしたものである。
【００２８】
この構成により、摺動体を取付ける場合には、摺動体をガイドプレートの外面に沿ってスライドさせ、摺動体挿入口を通してガイド溝に導き、摺動体を取外す場合には、操作パネル部を引っ張って、摺動体を摺動体挿入口を通してガイド溝から摺動体を取り外すことができるので、摺動体の取付け取り外しが容易であるという作用を有する。
【００２９】
本発明の通信端末装置における第７の発明は第１の通信端末装置についてさらに、摺動体挿入口は、摺動体を挿入する際、摺動体を最初に下側ガイド溝の挟持部の部分若しくは挟持部の部分の近傍に接触するようにガイドプレートの外面の位置に設けられることとしたものである。
【００３０】
この構成により、摺動体を挿入の際、摺動体をまず下側ガイド溝の挟持部の部分に接触するように、ガイドプレートに摺動体挿入口を設けているため、摺動体が一旦ガイドプレート内に挿入されれば、摺動体は挟持部を通過するために、摺動体が下側ガイド溝の前端部において狭持部と外側の溝側面により確実に挟持され、下側ガイド溝の後端部から前端部へ滑らかに摺動することができるという作用を有する。また、狭持部により摺動体が下側ガイド溝の前端部から上側ガイド溝へ摺動することができるが、上側ガイド溝から下側ガイド溝の前端部に摺動して戻ることがないので、摺動体が最初の摺動体係止部に達し、更に次の摺動体係止部に向かう際に下側ガイド溝に戻ることがなく、摺動体挿入口から摺動体が外れることはないという作用を有する。
【００３１】
以下、本発明の実施の形態について、図１〜１０を用いて説明する。
【００３２】
（実施の形態１）
図１は、本発明の実施の形態１における通信端末装置を示す側面図であり、図２は本発明の実施の形態１における通信端末装置を示す背面図、図３は図２のＡ−Ａ線における矢視断面図、図４は図２のＢ−Ｂ線における矢視断面図である。
【００３３】
図１、図２において、１は本実施の形態における通信端末装置、２は床上、台上、机上等に載置される板状のベース部、２ａはベース部２の上面に形成された収納凹部、３はベース部２の上面に下端部が回動自在に軸支され、上面にボタン、カーソルキー、ＬＣＤ等の操作装置又は表示装置を備えた板状の操作パネル部、４はベース部２の上面又は内部に配設され、操作パネル部３の回動軸であるパネル軸、５は操作パネル部３の下面側に左右に対向して配設され略垂直に固設された板状のガイドプレート、６はベース部２の上面の操作パネル部３の下面側に形成された収納凹部２ａの内部に回動自在に左右に対向して配設された支持部、６ａは左右に対向して配設された支持部６同士を連結し、それぞれの支持部６に垂直に配設された支持部接続体、７はベース部２の上面又は内部に配設され、支持部６の回動軸である支持軸、８はガイドプレート５に垂直となるように支持部６の上端部に突設された摺動体、９はガイドプレート５に並んで操作パネル部３の下面側に穿設された支持部係止部である。
【００３４】
ここで、ベース部２は、操作パネル部３をベース部２の方向へ回動させた時にガイドプレート５が挿入され収納されるように、操作パネル部３の下面側のベース部２の上面に形成された収納凹部２ａを備え、操作パネル部３がベース部２の方向へ回動する回動範囲が広くなるように形成される。
【００３５】
支持部６は、操作パネル部３の下面側に形成され、その先端の側部に突設して形成された摺動体８がガイドプレート５の側面に形成される溝に挿入されるように配設される。また、左右に対向して配設されたそれぞれの支持部６は支持部接続体６ａにより連結されているため、一方が他方に連動して回動する。
【００３６】
支持部係止部９は、ガイドプレート５の内側の操作パネル部３の下面に溝状に形成され、その溝底面は支持部６が段階的に係止されるように階段状に又は後述の１または複数の係止凹部が形成され、支持部６の先端部が挿入され係止されることで、操作パネル部３をベース部２と所定の角度を有して固定することができる。
【００３７】
また、図３において、１は通信端末装置、２はベース部、３は操作パネル部、４はパネル軸、５はガイドプレート、８は摺動体であり、これらは図１、図２で説明したものと同様であるので、同一の符号を付けて、説明を省略する。１０はガイドプレート５の１側面に前後に延設された下側ガイド溝、１０ａは下側ガイド溝１０の前端部の内側の溝側面をなし、押圧により内側に向かって弾性的に変形する挟持部、１１はガイドプレート５の下側ガイド溝１０の上方に延設され、下側ガイド溝１０の前端部と後端部とに接続する上側ガイド溝、１１ａは上側ガイド溝１１の一部をなし、上方に湾曲した第１の摺動体係止部、１１ｂは上側ガイド溝１１の一部をなし、第１の摺動体係止部１１ａの後方に配設され、上方に湾曲した第２の摺動体係止部、１１ｃは上側ガイド溝１１の一部をなし、第２の摺動体係止部１１ｂの後方に配設され、上方に湾曲した第３の摺動体係止部、１１ｄは上側ガイド溝１１の一部をなし、第３の摺動体係止部１１ｃの後方に配設され、上方に湾曲した第４の摺動体係止部、１２は下側ガイド溝１０の後端部と上側ガイド溝１１との連結部の溝底面に形成された連結突起部である。
【００３８】
ここで、挟持部１０ａは、摺動体８が下側ガイド溝１０の前端部を摺動する際に、下側ガイド溝１０の前端部の外側の溝側面とともに摺動体８を挟持して安定して摺動させる。
【００３９】
連結突起部１２は、下側ガイド溝１０の後端部と上側ガイド溝１１との連結部の溝底面に略Ｕ字形状の切り込みを入れ、その切り込みの内部に突起を設けて形成され、溝底面側に押圧されると弾性的に変形して陥没し、押圧を解除すると復元するように形成される。また、切り込みの内部に設けられた突起は楔型の形状に形成され、これにより摺動体８を、上側ガイド溝１１から下側ガイド溝１０の後端部へ連結突起部１２を陥没させながら摺動させることはできるが、下側ガイド溝１０の後端部から上側ガイド溝１１へ摺動させることはできない。
【００４０】
図４において、１は通信端末装置、２はベース部、２ａは収納凹部、３は操作パネル部、４はパネル軸、５はガイドプレート、６は支持部、７は支持軸、９は支持部係止部、１０は下側ガイド溝、１１は上側ガイド溝、１１ａは第１の摺動体係止部、１１ｂは第２の摺動体係止部、１１ｃは第３の摺動体係止部、１１ｄは第４の摺動体係止部、１２は連結突起部であり、これらは図１〜図３で説明したものと同様であるので、同一の符号を付けて、説明を省略する。１３ａは溝状に形成された支持部係止部９の溝底面に形成された第１の係止凹部、１３ｂは溝状に形成された支持部係止部９の溝底面に形成され、第１の係止凹部１３ａの後方に配設された第２の係止凹部、１３ｃは溝状に形成された支持部係止部９の溝底面に形成され、第２の係止凹部１３ｂの後方に配設された第３の係止凹部、１３ｄは溝状に形成された支持部係止部９の溝底面に形成され、第３の係止凹部１３ｃの後方に配設された第４の係止凹部、１４ａは支持部係止部９の内部において第２の係止凹部１３ｂの前方に形成された第１の切替突起部、１４ｂは支持部係止部９の内部において第３の係止凹部１３ｃの前方に形成された第２の切替突起部、１４ｃは支持部係止部９の内部において第４の係止凹部１３ｄの前方に形成された第３の切替突起部である。
【００４１】
第１の切替突起部１４ａ及び第２の切替突起部１４ｂ及び第３の切替突起部１４ｃは、支持部係止部９内部の溝底面に略Ｕ字形状の切り込みを入れ、その切り込みの内部に突起を設けて形成され、溝底面側に押圧されると弾性的に変形して陥没し、押圧を解除すると復元するように形成される。
【００４２】
以上のように構成された本発明の実施の形態１における通信端末装置について、その動作を図面を用いて説明する。
【００４３】
なお、操作パネル部３はベース部２に対する操作パネル部３の角度が小さい順に第１のチルト角度、第２のチルト角度、第３のチルト角度、第４のチルト角度、を有して段階的にそれぞれの角度で固定することができ、それぞれの固定位置を第１段階、第２段階、第３段階、第４段階とする。
【００４４】
図５（ａ）は図３の通信端末装置においてガイドプレート５の内部を示す要部断面図であり、図５（ｂ）は図５（ａ）のＹ−Ｙ線の要部矢視断面図であり、図６は図４の通信端末装置において支持部６が支持部係止部９に係止された状態を示す説明図である。
【００４５】
まず、操作パネル部３が第１段階から第２段階へ移動する動作について説明する。
【００４６】
操作パネル部３が、ベース部２に対して第１のチルト角度を有する位置にある状態では、摺動体８は第１の摺動体係止部１１ａにある、即ち図５（ａ）のＣに位置している。また、支持部６の先端部は第１の係止凹部１３ａにある、即ち図６のＧに位置している。この時、支持部６の先端部は操作パネル部３の重みにより第１の係止凹部１３ａに当接し押圧されて係止されている（第１段階）。
【００４７】
まず、操作パネル部３を手等によりパネル軸４を軸として上方へ回動させる。これにより支持部６に対する第１の係止凹部１３ａによる押圧が解け支持部６は第１の係止凹部１３ａから離隔する。このとき摺動体８は自重により下側ガイド溝１０まで移動することはない。これは下側ガイド溝１０の前端部の溝幅が摺動体８の径より狭くなっているためである。さらに、操作パネル部３を上方向へ回動させると、支持部６は、その先端部で第１の切替突起部１４ａを押圧して陥没させながら第２の係止凹部１３ｂへ向かって移動し、摺動体８は、上側ガイド溝１１の内側の溝側面に当接しながら後方へ向かって摺動し、第２の摺動体係止部１１ｂ側へ移動する。この時、操作パネル部３を掴んでいる手等を離し、上方への回動を停止させると、操作パネル部３はその自重により下方へ回動し、それにより摺動体８は、第２の摺動体係止部１１ｂの最湾曲部に突入する。この時、支持部６の先端部は第２の係止凹部１３ｂに係止され、操作パネル部３はベース部２に対して第２のチルト角度を有して固定される。この時、摺動体８は第２の摺動体係止部１１ｂにあり、即ち図５（ａ）のＤに位置している。また、支持部６の先端部は第２の係止凹部１３ｂにあり、即ち図６のＨに位置している。この時、支持部６の先端部は操作パネル部３の重みにより第２の係止凹部１３ｂに当接し押圧されて係止されている（第２段階）。また、この時支持部６が第１の切替突起部１４ａに当接して押圧しながら第１の切替突起部１４ａを陥没させ通過するため、移動感を手等による触感で感知することが容易にでき、操作パネル部３から手等を離す時期を判断しやすくなる。
【００４８】
このようにして、第１段階から第２段階への動作が行われる。
【００４９】
同様にして、第２段階から第３段階へ、第３段階から第４段階への移動が行われる、即ち図５（ａ）において摺動体８がＤからＥ、ＥからＦへ移動し、図６において支持部６の先端部がＨからＩ、ＩからＪへ移動する。第４段階の状態、即ち操作パネル部３がベース部２に対して第４のチルト角度を有する状態のとき、摺動体８は第４の摺動体係止部１１ｄに位置し、即ち図５（ａ）のＦに位置する。支持部６は第４の係止凹部１３ｄに係止されている、即ち図６のＪに位置している。この時、支持部６の先端部は操作パネル部３の重みにより第４の係止凹部１３ｄに当接し押圧されて係止されている（第４段階）。
【００５０】
次に、操作パネル部３が第４段階から第１段階へ移動する動作について説明する。
【００５１】
操作パネル部３を手等によりパネル軸４を軸として上方ヘ回動させる。これにより、操作パネル部３の重みによる第４の係止凹部１３ｄの押圧が解け、支持部６は第４の係止凹部１３ｄから離隔する。更に操作パネル部３を上方へ回動させると、摺動体８は連結突起部１２に当接し押圧して陥没させながら下側ガイド溝１０側へ摺動する。なお、このとき、連結突起部１２は図５（ａ）及び図５（ｂ）に示すように、下側ガイド溝１０の後端部と上側ガイド溝１１との連結部の溝底面に略Ｕ字形状の切り込みを入れ、その切り込みの内部に突起を設けて形成される。即ち、片持ち梁状に形成された略Ｕ字形状の切り込みの内部の先端部に突設して形成されるため、押圧により弾性的に変形する。
【００５２】
摺動体８が下側ガイド溝１０へ移動した時、操作パネル部３を掴んでいる手等を離し、上方への回動を停止させると、操作パネル部３は自重により下方へ回動し摺動体８は下側ガイド溝１０の後方から前方に向かって摺動する。なお、このとき連結突起部１２により摺動体８が上側ガイド溝１１側へ戻ることが阻止されるので、摺動体８は下側ガイド溝１０を前方に向かって摺動する。
【００５３】
更に操作パネル部３は下方に向かって回動し、摺動体８が第１の摺動体係止部１１ａに突入し、支持部６は第１の係止凹部１３ａに係止される。
【００５４】
このようにして、第４段階から第１段階への動作が行われる。
【００５５】
以上のように本実施の形態によれば、下側ガイド溝１０の溝幅が前端部の近傍において狭くなり、下側ガイド溝１０の前端部の内側の溝側面が内側に向かって弾性的に変形するように挟持部１０ａが形成されているので、操作パネル部３を回動させ、ベース部２に対する操作パネル部３のチルト角度を最大角度から最小角度へ変化させるチルト動作を行う際、摺動体８が下側ガイド溝１０の前端部において挟持部１０ａ及び溝側面により確実に挟持され、摺動体８を下側ガイド溝１０の後端部から前端部へ滑らかに且つ安定して摺動させることができる。
【００５６】
また、下側ガイド溝１０の溝幅が前端部の近傍において狭くなり、また、挟持部１０ａが形成されていることにより、摺動体８が、下側ガイド溝１０の前端部から上側ガイド溝１１へ摺動することができるが、上側ガイド溝１１から下側ガイド溝１０の前端部に摺動して戻ることがないので、摺動体８が第１の摺動体係止部１１ａに達し、更に第２の摺動体係止部１１ｂに向かって摺動する際に下側ガイド溝１０に戻ることがなく、安定した動作が可能である。
【００５７】
さらに、支持部係止部９により所定のチルト角の位置で支持部６が支持部係止部９に係止されることにより、操作パネル部３を所定の角度で固定することができる。
【００５８】
さらに、支持部係止部９の内部に形成された第１の切替突起部１４ａ、第２の切替突起部１４ｂ、第３の切替突起部１４ｃにより、摺動体８が上側ガイド溝１１を摺動する際、支持部６の先端部が例えば第２の係止凹部１３ｂに向かって移動する際に、第１の切替突起部１４ａに当接し、陥没させながら移動するので、軽い抵抗となることで移動感を出すことができる。
【００５９】
さらに、上側ガイド溝１１と下側ガイド溝１０の後端部との連結部に連結突起部１２が形成されることにより、摺動体８が上側ガイド溝１１から下側ガイド溝１０の後端部へ移動した際に上側ガイド溝１１へ戻ることを防止できる。
【００６０】
さらに、パネル軸４とガイドプレート５の間に所定の距離を設けることにより、操作パネル部３の上方側に配設されたボタン、カーソルキー等を操作の際に押す時に、その押圧により通信端末装置１が転倒することを防ぐことができる。
【００６１】
（実施の形態２）
本発明の実施の形態２における通信端末装置１は、実施の形態１における通信端末装置の断面図において、更にガイドプレート５に支持部６用の摺動体挿入口２４を設け、支持部６をガイドプレート５から容易に脱着可能としたものである。
【００６２】
図７、図８、図９は、本実施の形態における通信端末装置を示す断面図であり、図２のＡ−Ａ線における矢視断面図に相当する部分である。
【００６３】
図７〜図９において、８はガイドプレート５に垂直となるように支持部６の上端部に突設され、その先端が曲面状に形成された摺動体、２４はガイドプレート５のパネル軸４側に設けられ、摺動体８をガイドプレート５内のガイド溝に導き入れるために開口した摺動体挿入口、２４ａは摺動体挿入口２４の側面であり、摺動体８が接触した場合にその接線方向が垂直方向（この通信端末装置を設置する平面から垂直方向、図中のＹ方向）に対して４５°以下になるように構成された摺動体挿入口側面部であり、その他の部分は実施の形態１における説明と同じであるため省略する。
【００６４】
以上のように構成された本実施の形態における通信端末装置について、その動作を図面を用いて説明する。
【００６５】
図７において、摺動体８はガイドプレート５の外面に位置しており、摺動体８とガイドプレート５の外面との接触面の接線方向と、垂直方向（図中のＹ方向）とが為す角度は、６０°以上になるように構成されている。またパネル軸４側に向かうに従って角度は小さくなっていき、又摺動体８は曲面状であるため、Ｘ方向に多少の加圧若しくは操作パネル部３の重量によって、支持部６はガイドプレート５の外面に沿ってパネル軸４方向に滑らかに緩やかにスライドしていく。図８のように、摺動体８が摺動体挿入口側面部２４ａに達したとき、摺動体８の接地面接線と垂直方向（Ｙ方向）との為す角は４５°以下となり、摺動体８が摺動体挿入口側面部２４ａに沿って摺動体挿入口２４からガイドプレート５内に挿入される。又この挿入ポイントが、下側ガイド溝１０の挟持部１０ａ若しくはその近傍になるように摺動体挿入口２４が開口されているため、第１の摺動体係止部１１ａにある、即ち図５（ａ）のＣの位置に、挟持部１０ａを通してガイドされることになる（図９）。
【００６６】
なお、摺動体８を取り外す際には、摺動体８を上側ガイド溝１１から下側ガイド溝１０を移動させた後、操作パネル部３をＸ方向と逆方向に引っ張ることにより、摺動体８がガイドプレート５内壁にガイドされながら、摺動体挿入口２４に到達させることにより容易に取り外し可能となる。
【００６７】
また、摺動体８を摺動体挿入口２４に挿入せず、操作パネル部３をＹ方向に垂直にできるような構造をとるようにしてもよい。
【００６８】
以上のように本実施の形態によれば、摺動体８を取付ける場合には、摺動体８をガイドプレート５の外面に沿ってスライドさせ、摺動体挿入口側面部２４ａに沿って摺動体挿入口２４を通して下側ガイド溝１０に導き、摺動体８を取外す場合には、操作パネル部３を引っ張って、摺動体８を摺動体挿入口２４を通して下側ガイド溝１０から摺動体８を取り外すことができ、摺動体８の取付け取り外しが容易である。
【００６９】
また、摺動体８を挿入の際、摺動体８を最初に下側ガイド溝１０の挟持部１０ａ若しくはその近傍に接触するように、ガイドプレート５に摺動体挿入口２４を設けているため、摺動体８が一旦ガイドプレート５内に挿入されれば、摺動体８は挟持部１０ａを通過するために、摺動体８が下側ガイド溝１０の前端部において挟持部１０ａと外側の溝側面により確実に挟持され、下側ガイド溝１０の後端部から前端部へ滑らかに摺動することができる。又、挟持部１０ａにより摺動体８が下側ガイド溝１０の前端部から上側ガイド溝１１へ摺動することができるが、上側ガイド溝１１から下側ガイド溝１０の前端部に摺動して戻ることがないので、摺動体８が最初の第１の摺動体係止部１１ａに達し、更に次の第２の摺動体係止部１１ｂに向かう際に下側ガイド溝１０に戻ることがなく、摺動体挿入口２４から摺動体８が外れることはない。
【００７０】
さらに、ガイドプレート５の外面と摺動体８との接地面の接線方向と垂直方向（Ｙ方向）との為す角が３０°以下となるように構成しているため、多少の加圧若しくは操作パネル部３の重量によって、摺動体８を摺動体挿入口２４に挿入することができ、又摺動体８を滑らかにガイドすることができる。
【００７１】
（実施の形態３）
図１０は本発明の実施の形態３における通信端末装置を備えた電話装置の要部斜視図である。
【００７２】
図１０において、２はベース部、３は操作パネル部であり、これらは図１で説明したものと同様であるので、同一の符号を付けて説明を省略する。１ａは本発明の実施の形態３における通信端末装置、１５は通信端末装置１ａの側方に載置されたＤＳＳコンソール等のオプション装置、１６はオプション装置１５のベース部、１７はベース部１６の上面に回動自在に軸支され、操作パネル部３に連結され連動して回動するオプション部、１８はオプション装置１５の側方に載置されたボイスメール装置、１９はボイスメール装置１８のベース部、２０はベース部１９の上面に回動自在に軸支され、オプション部１７に連結され連動して回動する装置部、２１はベース部２の前方の上面に配設されたカーソルキー、２２は操作パネル部３の上面に複数配設されたボタン、２３は操作パネル部３の上面に配設された液晶ディスプレイである。
【００７３】
なお、通信端末装置１ａ、オプション装置１５、ボイスメール装置１８にはそれぞれ、背面側に、実施の形態１で説明したチルト機構と同様のチルト機構（図示せず）が配設されている。
【００７４】
以上のように構成された本発明の実施の形態３における通信端末装置について、その動作を図面を用いて説明する。
【００７５】
操作パネル部３の側部を手等により掴んで、上方向に向かって回動させ、ベース部２と所定の角度を有して段階的に固定するチルト動作を行った場合と、操作パネル部３は、実施の形態１で説明したものと同様の動作により、ベース部２と所定の角度を有して段階的に固定される。このとき、オプション装置１５のオプション部１７は操作パネル部３に連結され、又ボイスメール装置１８の装置部２０はオプション装置１５に連結されているため、オプション部１７及び装置部２０は操作パネル部３に連動して回動され、所定の角度を有して固定される。
【００７６】
以上のように本実施の形態によれば、上記チルト機構を備えたオプション装置１５、ボイスメール装置１８を側方に並べて使用する場合、操作パネル部３、オプション部１７、装置部２０の内１つを回動させれば他の操作パネル部３又はオプション部１７又は装置部２０が連動し回動するので、片手で容易に操作パネル部３及びオプション部１７並びに装置部２０の角度を同時に変えることができる。
【００７７】
【発明の効果】
以上説明したように本発明の第１の発明による通信端末装置によれば、チルト機構を備えた複数のオプション・ユニットを側方に並べて、それぞれのベース部、操作パネル部同士を連結して使用する場合、１つの操作パネル部を回動させればすべての操作パネル部が連動し回動するので、片手で容易にすべての機器のベース部に対する操作パネル部のチルト角度を同時に変えることができるという有利な効果が得られる。ここで、パネル軸とガイドプレートの間に所定の距離を設けて配設することにより、操作パネル部の上方側に配設されたボタン等を操作のため押す時に、その押圧により転倒することを防ぐことができ、安定した操作が可能であるという有利な効果が得られる。
【００７８】
本発明の第２の発明による通信端末装置によれば、挟持部を備えたことにより、操作パネル部のチルト角度を最大角度から最小角度へ変化させるチルト動作を行う際、摺動体が下側ガイド溝の前端部において狭持部と外側の溝側面により確実に挟持され、下側ガイド溝の後端部から前端部へ滑らかに摺動することができるという有利な効果が得られる。また、狭持部により摺動体が下側ガイド溝の前端部から上側ガイド溝へ摺動することができるが、上側ガイド溝から下側ガイド溝の前端部に摺動して戻ることがないので、摺動体が最初の摺動体係止部に達し、更に次の摺動体係止部に向かう際に下側ガイド溝に戻ることがなく、安定した動作が可能であるという有利な効果が得られる。
【００７９】
本発明の第３の発明による通信端末装置によれば、連結突起部が形成されたので、摺動体が上側ガイド溝から下側ガイド溝へ移動した際に上側ガイド溝へ戻ることを防止できるという有利な効果が得られる。
【００８０】
本発明の第４の発明による通信端末装置によれば、支持部係止部の溝底面に形成された係止凹部により、所定のチルト角の位置で支持部が支持部係止部に係止され、操作パネル部を所定の角度で安定して固定することができるという有利な効果が得られる。
【００８１】
本発明の第５の発明による通信端末装置によれば、支持部係止部の溝底面に形成された切替突起部により、摺動体が上側ガイド溝を摺動する際、支持部の先端部が切替突起部に当接し、陥没させながら移動し、その際の抵抗を手等による触感により感知することで移動感のあるチルト動作を行うことができるという有利な効果が得られる。
【００８２】
本発明の第６の発明による通信端末装置によれば、摺動体を取付ける場合には、摺動体をガイドプレートの外面に沿ってスライドさせ、摺動体挿入口を通してガイド溝に導き、摺動体を取り外す場合には、操作パネル部を引っ張って、摺動体を摺動体挿入口を通してガイド溝から摺動体を取り外すことができるので、摺動体の取付け取り外しが容易であるという有利な効果が得られる。
【００８３】
本発明の第７の発明による通信端末装置によれば、摺動体を挿入の際、摺動体をまず下側ガイド溝の挟持部の部分に接触するように、ガイドプレートに摺動体挿入口を設けているため、摺動体が一旦ガイドプレート内に挿入されれば、摺動体は挟持部を通過するために、摺動体が下側ガイド溝の前端部において狭持部と外側の溝側面により確実に挟持され、下側ガイド溝の後端部から前端部へ滑らかに摺動することができるという有利な効果が得られる。また、狭持部により摺動体が下側ガイド溝の前端部から上側ガイド溝へ摺動することができるが、上側ガイド溝から下側ガイド溝の前端部に摺動して戻ることがないので、摺動体が最初の摺動体係止部に達し、更に次の摺動体係止部に向かう際に下側ガイド溝に戻ることがなく、摺動体挿入口から摺動体が外れることはないという有利な効果が得られる。
【図面の簡単な説明】
【図１】本発明の実施の形態１における通信端末装置を示す側面図
【図２】本発明の実施の形態１における通信端末装置を示す背面図
【図３】図２のＡ−Ａ線における矢視断面図
【図４】図２のＢ−Ｂ線における矢視断面図
【図５】（ａ）図３の通信端末装置においてガイドプレートの内部を示す要部断面図
（ｂ）図５（ａ）のＹ−Ｙ線の要部矢視断面図
【図６】図４の通信端末装置において支持部が支持部係止部に係止された状態を示す説明図
【図７】本発明の実施の形態２における通信端末装置の断面図
【図８】本発明の実施の形態２における通信端末装置の断面図
【図９】本発明の実施の形態２における通信端末装置の断面図
【図１０】本発明の実施の形態３における通信端末装置を備えた電話装置の要部斜視図
【符号の説明】
１、１ａ  通信端末装置
２  ベース部
２ａ  収納凹部
３  操作パネル部
４  パネル軸
５  ガイドプレート
６  支持部
６ａ  支持部接続体
７  支持軸
８  摺動体
９  支持部係止部
１０  下側ガイド溝
１０ａ  挟持部
１１  上側ガイド溝
１１ａ  第１の摺動体係止部
１１ｂ  第２の摺動体係止部
１１ｃ  第３の摺動体係止部
１１ｄ  第４の摺動体係止部
１２  連結突起部
１３ａ  第１の係止凹部
１３ｂ  第２の係止凹部
１３ｃ  第３の係止凹部
１３ｄ  第４の係止凹部
１４ａ  第１の切替突起部
１４ｂ  第２の切替突起部
１４ｃ  第３の切替突起部
１５  オプション装置
１６  ベース部
１７  オプション部
１８  ボイスメール装置
１９  ベース部
２０  装置部
２１  カーソルキー
２２  ボタン
２３  液晶ディスプレイ
２４  摺動体挿入口
２４ａ  摺動体挿入口側面部
【図１】
0003972673.tif 000002
【図２】
0003972673.tif 000003
【図３】
0003972673.tif 000004
【図４】
0003972673.tif 000005
【図５】
0003972673.tif 000006
【図６】
0003972673.tif 000007
【図７】
0003972673.tif 000008
【図８】
0003972673.tif 000009
【図９】
0003972673.tif 000010
【図１０】
0003972673.tif 000011